(57)【要約】【課題】  底面盤と該底面盤の据え付け時に最も外側となる一側端から上向きに立設された防護柵用の壁面盤とからなる断面Ｌ字型のプレキャスト鉄筋コンクリートブロックから構成し、壁面盤を最も外側に配置する構造にすることにより、従来活用できなかったスペースを路肩や駐車場の端部の一部として使用可能にして、これらのスペースを広げることのできるプレキャスト鉄筋コンクリート製防護柵を提供することにある。【解決手段】  底面盤２と該底面盤２の据え付け時に最も外側となる一側端から上向きに立設された防護柵用の壁面盤３とからなる断面Ｌ字型のプレキャスト鉄筋コンクリートブロックから構成し、底面盤２に連結孔２１を形成し、地盤中に打設された支柱４の上端側に上記底面盤２の連結孔２１を嵌合連結して固定すると共に、上記プレキャスト鉄筋コンクリートブロックを長さ方向に複数連接した。【選択図】        図１
0003118003.tif 000002
【実用新案登録請求の範囲】
【請求項１】
高速道路又は一般道路の路肩側防護柵、駐車場の境界防護柵などとして使用されるブロックを、底面盤と該底面盤の据え付け時に最も外側となる一側端から上向きに立設された防護柵用の壁面盤とからなる断面Ｌ字型のプレキャスト鉄筋コンクリートブロックから構成し、当該プレキャスト鉄筋コンクリートブロックの底面盤に連結孔を形成し、当該プレキャスト鉄筋コンクリートブロックを支持すべく地盤中に打設された支柱の上端側に上記底面盤の連結孔を嵌合連結して固定すると共に、上記プレキャスト鉄筋コンクリートブロックを長さ方向に複数連接したことを特徴とするプレキャスト鉄筋コンクリート製防護柵。
【請求項２】
支柱の上端側の側面には両側の側方に向けて突出する係止片が形成され、連結孔の下部側には係止受け片が形成された請求項１記載のプレキャスト鉄筋コンクリート製防護柵。
【請求項３】
壁面盤の壁面頭部の中央部分をその両側部分より低くした請求項１記載のプレキャスト鉄筋コンクリート製防護柵。
【請求項４】
壁面盤の壁面頭部の両側部分をその中央部分より低くした請求項１記載のプレキャスト鉄筋コンクリート製防護柵。
【請求項５】
隣設するプレキャスト鉄筋コンクリート製防護柵同士を複数の連結部材で連結した請求項１記載のプレキャスト鉄筋コンクリート製防護柵。
【考案の詳細な説明】
【技術分野】
【０００１】
この考案は、高速道路及び一般道路の路肩側防護柵、駐車場の境界防護柵に係り、特に、底面盤と該底面盤の据え付け時に最も外側となる一側端から上向きに立設された防護柵用の壁面盤とからなる断面Ｌ字型のプレキャスト鉄筋コンクリートブロックから構成し、壁面盤を最も外側に配置する構造にすることにより、従来活用できなかったスペースを路肩や駐車場の端部の一部として使用可能にして、スペースを広げるようにしたプレキャスト鉄筋コンクリート製防護柵に関するものである。
【背景技術】
【０００２】
従来の高速道路及び一般道路の路肩側防護柵は、金属製のガードレール、ガードケーブル、ガードパイプ、ガードフェンスを使用していた。即ち、現場の地面に金属製の支柱を打ち込み、または、コンクリート製ブロックを設置し、これらの側面部分にガードレール、ガードケーブル、ガードパイプ、ガードフェンスの取り付け金具を介してボルトナットで締め付けて設置していた。
【考案の開示】
【考案が解決しようとする課題】
【０００３】
しかしながら、従来製品は、金属製品のため耐久性に欠けること、特に高速道路の防護柵は、緩衝効果を期待する余り、接触又は衝突時は、広範囲に防護柵が破損又は損傷し、防護柵の目的である道路外逸脱効果が損なわれ、破損箇所のすみやかな機能復旧に多大の時間と費用を要していた。
また、従来製品は、支柱やコンクリート製ブロックの側面部分にガードレールなどを道路側に突出させて取り付けているため、例えば図９に示すように、路肩の一部がこれらを取り付けるための設置スペースの一部として使用され、その分、路肩の側方余裕幅が狭められていた。図中において、１０１は既設のガードケーブル、１０２は左側路肩、１０３は道路本体の保護路肩である。
【０００４】
この考案は、上記のような課題に鑑み、その課題を解決すべく創案されたものであって、その目的とするところは、底面盤と該底面盤の据え付け時に最も外側となる一側端から上向きに立設された防護柵用の壁面盤とからなる断面Ｌ字型のプレキャスト鉄筋コンクリートブロックから構成し、壁面盤を最も外側に配置する構造にすることにより、従来活用できなかったスペースを路肩や駐車場の端部の一部として使用可能にして、これらのスペースを広げることのできるプレキャスト鉄筋コンクリート製防護柵を提供することにある。
【課題を解決するための手段】
【０００５】
以上の目的を達成するために、請求項１の考案は、高速道路又は一般道路の路肩側防護柵、駐車場の境界防護柵などとして使用されるブロックを、底面盤と該底面盤の据え付け時に最も外側となる一側端から上向きに立設された防護柵用の壁面盤とからなる断面Ｌ字型のプレキャスト鉄筋コンクリートブロックから構成し、当該プレキャスト鉄筋コンクリートブロックの底面盤に連結孔を形成し、当該プレキャスト鉄筋コンクリートブロックを支持すべく地盤中に打設された支柱の上端側に上記底面盤の連結孔を嵌合連結して固定すると共に、上記プレキャスト鉄筋コンクリートブロックを長さ方向に複数連接した手段よりなるものである。
【０００６】
ここで、請求項１の好ましい態様として、支柱の上端側の側面には両側の側方に向けて突出する係止片が形成され、連結孔の下部側には係止受け片が形成されている。また、壁面盤の壁面頭部の中央部分をその両側部分より低くした。或いは壁面盤の壁面頭部の両側部分をその中央部分より低くした。さらに、隣設するプレキャスト鉄筋コンクリート製防護柵同士を複数の連結部材で連結した。
【考案の効果】
【０００７】
以上の記載より明らかなように、この考案に係るプレキャスト鉄筋コンクリート製防護柵によれば、底面盤と該底面盤の据え付け時に最も外側となる一側端から上向きに立設された防護柵用の壁面盤とからなる断面Ｌ字型のプレキャスト鉄筋コンクリートブロックから構成し、プレキャスト鉄筋コンクリート製防護柵を固定支持する支柱を壁面盤より内側の底面盤の連結孔に連結固定する構造にすることにより、防護柵として機能する壁面盤を最も外側に配置することができ、従来活用できなかった支柱の外側のスペースを路肩や駐車場の端部の一部として使用可能にでき、これらのスペースを広げることができる。
また、壁面盤をプレキャスト鉄筋コンクリートブロックで構成することにより、耐久性の向上と共に防護柵本来の機能を強化できて衝突した自動車が逸脱するのを防ぐことができ、且つメンテナンスフリーの防護柵となり、施工も簡単で、経済性の面でも優れている等種々の極めて実用的有益なる効果を奏するものである。
【０００８】
また、請求項２のように、支柱の上端側の側面には両側の側方に向けて突出する係止片が形成され、連結孔の下部側には係止受け片が形成されているときには、プレキャスト鉄筋コンクリート製防護柵に転倒荷重や浮き上がり荷重が作用する場合、支柱の係止片により連結孔の係止受け片が係止されて、プレキャスト鉄筋コンクリート製防護柵を転倒や浮き上がり変動から防ぐことができる。
【０００９】
また、請求項３のように、壁面盤の壁面頭部の中央部分をその両側部分より低くした場合、或いは請求項４のように、壁面盤の壁面頭部の両側部分をその中央部分より低くした場合には、壁面の威圧感が軽減される。
【００１０】
また、請求項５のように、隣設するプレキャスト鉄筋コンクリート製防護柵同士を複数の連結部材で連結した場合には、両者の連結結合を高めて、自動車の衝突に対する防護柵の破損や修復を少なくすることができる。
【考案を実施するための最良の形態】
【００１１】
以下、図面に記載の考案を実施するための最良の形態に基づいて、この考案をより具体的に説明する。
ここで、図１は路肩据え付け時のプレキャスト鉄筋コンクリート製防護柵の断面図、図２（Ａ）は壁面頭部中央部分が壁面頭部両側部分より低いプレキャスト鉄筋コンクリート製防護柵の側面図、図２（Ｂ）は壁面頭部両側部分が壁面頭部中央部分より低いプレキャスト鉄筋コンクリート製防護柵の側面図、図３はプレキャスト鉄筋コンクリート製防護柵の平面図、図４（Ａ）は枠体の平面図、図４（Ｂ）は同図（Ａ）のＢ−Ｂ矢視図、図４（Ｃ）は同図（Ａ）のＣ−Ｃ矢視図、図５（Ａ）は円筒鋼管の支柱の平面図及び中間省略の正面図、図５（Ｂ）はＨ型鋼の支柱の平面図及び中間省略の正面図、図６はプレキャスト鉄筋コンクリート製防護柵の端部図、図７（Ａ）は壁面頭部中央部分が壁面頭部両側部分より低いプレキャスト鉄筋コンクリート製防護柵を複数連接時の側面図、図７（Ｂ）は同図（Ａ）の平面図、図８は壁面頭部両側部分が壁面頭部中央部分より低いプレキャスト鉄筋コンクリート製防護柵を複数連接時の側面図である。
【００１２】
図において、プレキャスト鉄筋コンクリート製防護柵１は、高速道路又は一般道路の路肩側防護柵、駐車場の境界防護柵などとして使用されるブロックであって、底面盤２と該底面盤の据え付け時に最も外側となる一側端から上向きに立設された壁面盤３とからなる断面Ｌ字型のプレキャスト鉄筋コンクリートブロックから構成されている。
【００１３】
このプレキャスト鉄筋コンクリート製防護柵１は、従来の高速道路又は一般道路の路肩側防護柵、駐車場の境界防護柵などと異なり、地盤ａ中に打ち込まれた支柱４の地面上に露出する上端側に該ブロック１の底面盤２を連結して支持する構造にして、壁面盤３を最も外側に配置する構造にすることにより、従来活用できなかったスペースを路肩や駐車場の端部の一部として使用可能にして、スペースを広げることができる特徴を備えている。
【００１４】
プレキャスト鉄筋コンクリート製防護柵１は、現場で施工されるブロックと異なり、予め工場で製作されて、現場に搬入して設置されるプレキャスト鉄筋コンクリートブロックであるため品質が安定している。プレキャスト鉄筋コンクリートブロックの底面盤２及び壁面盤３の内部には、コンクリートブロックの強度を高めるために、縦横方向に図示しない鉄筋が配筋されている。
【００１５】
プレキャスト鉄筋コンクリート製防護柵１は、その長さ方向の前面側又は後面側からみて断面Ｌ字型の形状からなり、底面盤２の一側端から一体的に上向きに壁面盤３が垂直に立設された構造になっている。底面盤２の一端側と壁面盤３の下端と結合部分の内部には図示しない鉄筋が配筋されていて、自動車が壁面盤３に衝突しても簡単に壁面盤３が破損せずに、自動車が道路外に逸脱するのを防ぐ構造になっている。
【００１６】
プレキャスト鉄筋コンクリート製防護柵１の一部を構成する底面盤２は、例えば高速道路又は一般道路の路肩側の路面上に設置され、或いは駐車場の境界側の路面上に設置される。底面盤２の表面は路肩の一部となり、或いは境界側の路肩の一部となって、路肩のスペースを広げる役目を果たす。
【００１７】
底面盤２は平面からみてその両幅側は長さ方向に平行に形成され、長さ方向の一端部２ａは両幅側に対して例えば少し斜めに形成され、長さ方向の他端部２ｂは両幅側に対して例えば直角に形成されている。長さ方向の一端部２ａの傾斜方向は例えば壁面盤３の下端が結合されている幅端側が少し鋭角状になっている。
【００１８】
プレキャスト鉄筋コンクリート製防護柵１は底面盤２の長さ方向の一端部２ａが少し斜めに形成されていることにより、プレキャスト鉄筋コンクリート製防護柵１を長さ方向に連接する場合において、道路がカーブしている場合にはその少し斜めに形成されている部分を利用して道路の幅端側のカーブに追従して連接できる構造になっている。
【００１９】
底面盤２は例えば両幅間の中央部位に長さ方向に例えば２個の連結孔２１が所定間隔で形成されている。なお、底面盤２に形成される連結孔２１は１個或いは３個以上の場合もある。各連結孔２１を通じて地盤ａ中に支柱４を打設して、地盤ａから露出するその支柱４の上端側を連結孔２１の内部にコンクリートを充填して固定し、地盤ａ中に打設した支柱４によってプレキャスト鉄筋コンクリート製防護柵１を地盤ａ上に固定支持する構造になっている。各連結孔２１は平面からみて例えば方形状の形状している。
【００２０】
各連結孔２１はその方形の孔周囲が例えば鋼製の枠体２１ａで構成されている。鋼製の枠体２１ａは、向かい合う二辺が例えばＬ型鋼で形成され、これと直角な二辺が例えば平板鋼で形成されている。二辺のＬ型鋼はその底面が枠体２１ａの内部側にそれぞれ突出するように取り付けられている。
【００２１】
つまり、鋼製の枠体２１ａは内部側に突出するＬ型鋼の底面により、枠体２１ａの下部の幅間隔は上部の幅間隔に比べて狭くなる係止受け片２１ｂがそれぞれ形成されている。プレキャスト鉄筋コンクリート製防護柵１が自動車の衝突や地震などの衝撃によって転倒荷重や浮き上がり荷重が作用しても、この狭くなる両係止受け片２１ｂの上面側が支柱４の上端側に突出形成された後述の係止片４１の下面側に係止されて、プレキャスト鉄筋コンクリート製防護柵１の転倒や浮き上がり現象が防がれる構造になっている。
【００２２】
鋼製の枠体２１ａの四辺の外部側つまり底面盤２のコンクリート側となる部分には、連結孔２１の孔周囲を構成する枠体２１ａが底面盤２と一体となって、底面盤２から外れないように、例えばアンカー２１ｃがそれぞれ取り付けられている。アンカー２１ｃは各辺の外側表面に例えば２本ずつそれぞれ外向きに直角に取り付けられている。
【００２３】
底面盤２の幅方向の一側端に一体的に取り付けられた壁面盤３は、防護柵として機能するもので、前記したように鉄筋コンクリートから構成されており、自動車の衝突に対して十分な強度を有していて、従来のガードレールなどに比べて耐久性が高められている。そして、衝突した自動車が壁面盤３の外に逸脱するのを防ぐことができる。また、自動車の衝突による破損箇所の最小化と速やかな復旧可能となる。
【００２４】
壁面盤３はその両端部３ａ、３ｂが平面からみて、それぞれ例えば45度のテーパーが付けられている。前記底面盤２の一端部２ａに連なる壁面盤３の一端部３ａは壁面の内面側から外面側に向けて例えば45度の角度で前方に突出する形状に形成されている。前記底面盤２の他端部２ｂに連なる壁面盤３の他端部３ｂは壁面の内面側から外面側に向けて例えば45度の角度で前方に切除される形状に形成されている。
【００２５】
壁面盤３はその両端部３ａ、３ｂにそれぞれテーパーが形成されることにより、このプレキャスト鉄筋コンクリート製防護柵１間の取り付けが容易になり、また既設のガードレール端部との取り合いが容易になる。
【００２６】
壁面盤３は底面盤２の表面となる版面からの高さが例えば0.9メートル程である。また、壁面盤３は、その壁面頭部中央部分３ｃが図２（Ａ）に示すように例えば0.15メートル程その壁面頭部両側部分３ｄより低くなっていたり、逆に壁面頭部両側部分３ｄが図２（Ｂ）に示すように例えば0.15メートル程その壁面頭部中央部分３ｃより低くなっていたりする。壁面頭部中央部分３ｃと壁面頭部両側部分３ｄの段差のある境界部分は上下に傾斜するテーパー状に形成されている。壁面盤３はその壁面頭部の高さに段差を設けることにより、壁面の威圧感が軽減されている。
【００２７】
支柱４は、プレキャスト鉄筋コンクリート製防護柵１が設置された地盤ａ中に打ち込まれて、プレキャスト鉄筋コンクリート製防護柵１の底面盤２の連結孔２１に支柱４の上端側が挿入されてコンクリートによって固められることで、プレキャスト鉄筋コンクリート製防護柵１を設置箇所に固定支持する役目を果たす。支柱４には例えば円筒鋼管やＨ型鋼などが使用される。
【００２８】
支柱４の上端側の側面には両側の側方に向けて突出する係止片４１が形成されている。両側に突出する係止片４１の突出量は、連結孔２１の上部側の幅間隔より僅かに狭く、且つ連結孔２１の下部側の係止受け片２１ｂが形成された幅間隔より広くなっていて、プレキャスト鉄筋コンクリート製防護柵１に転倒荷重や浮き上がり荷重が作用する場合には、支柱４の係止片４１により連結孔２１の係止受け片２１ｂが係止されて、プレキャスト鉄筋コンクリート製防護柵１を転倒や浮き上がり変動から防ぐようにしている。
【００２９】
次に、上記考案を実施するための最良の形態の構成に基づく作用について以下説明する。
工場で製作された各プレキャスト鉄筋コンクリート製防護柵１を設置場所まで搬送し、道路の路肩側や駐車場の境界部分の所定の設置箇所に据え付ける。この場合、壁面盤３を道路や駐車場の外側に向けて据え付けて、壁面盤３の内側のスペースを広げる。その後、プレキャスト鉄筋コンクリート製防護柵１の底面盤２に形成された連結孔２１に各支柱４を挿入し、重機を使用して各支柱４を地盤ａ中に打ち込む。
【００３０】
地盤ａ中に打ち込まれた各支柱４の上端側の側面に突設した係止片４１の下面側が、連結孔２１の下部側の係止受け片２１ｂの上面に当接する位置で、支柱４の打ち込み作業は終了し、支柱４の上端側が存在する連結孔２１の内部にコンクリートを流し込んで固めて、支柱４の上端側とプレキャスト鉄筋コンクリート製防護柵１の底面盤２の連結孔２１とをコンクリートにより一体的に固定する。
【００３１】
長さ方向に隣設する各プレキャスト鉄筋コンクリート製防護柵１を順次据え付ける。この場合、隣設するプレキャスト鉄筋コンクリート製防護柵１同士の連結結合を高めるため、プレキャスト鉄筋コンクリート製防護柵１の底面盤２の他端部２ｂと隣のプレキャスト鉄筋コンクリート製防護柵１の底面盤２の一端部２ａとの隙間には複数の連結部材１１が挿入される。各連結部材１１はその一端側が底面盤２の他端部２ｂに形成された連結孔に挿入され、その他端側が隣設する底面盤２ｂの一端部２ａに形成された連結孔に挿入される。
【００３２】
連続して設置するプレキャスト鉄筋コンクリート製防護柵１同士は、例えば0.1メートルの隙間を設け、施工性、直線又は左右にシフトして路面の曲がり方向に追従できる。そして、隣り合うプレキャスト鉄筋コンクリート製防護柵１の底面盤２の他端部２ｂと一端部２ａとの隙間にはコンクリートを流し込んで固めて、隣り合う隙間およびプレキャスト鉄筋コンクリート製防護柵１同士を連結する連結部材１１をコンクリートにより一体的に固定する。隣り合うプレキャスト鉄筋コンクリート製防護柵１同士は、連結部材１１とコンクリートによって強固に固定されることになる。
【００３３】
このようにして、各プレキャスト鉄筋コンクリート製防護柵１を地盤ａ中に打設する支柱４によって所定の設置箇所に固定支持すると共に、隣設するプレキャスト鉄筋コンクリート製防護柵１同士を連結部材１１及びコンクリートによって長さ方向に連接固定する。これにより、プレキャスト鉄筋コンクリート製防護柵１は連続的な防護機能が確保される。
【００３４】
高速道路又は一般道路の路肩側や駐車場の境界部分に据え付けられるプレキャスト鉄筋コンクリート製防護柵１は、防護柵として機能する壁面盤３が最も外側に配置され、プレキャスト鉄筋コンクリート製防護柵１を固定支持する支柱４は壁面盤３より内側の底面盤２の連結孔２１に連結固定される構造になっているため、従来活用できなかった支柱４の外側のスペースを路肩や駐車場の端部の一部として使用可能にでき、これらのスペースを広げることができる。
【００３５】
なお、この考案は上記考案を実施するための最良の形態に限定されるものではなく、この考案の精神を逸脱しない範囲で種々の改変をなし得ることは勿論である。例えば上記考案を実施するための最良の形態において、壁面盤３には壁面頭部中央部分３ｃ或いは壁面頭部両側部分３ｄが形成されている場合で説明したが必要に応じて省略してもよい。また、連結孔２１の平面形状は方形状に限定されるものではない。支柱４は円筒鋼管又はＨ型鋼に限定されるものではない。さらに、プレキャスト鉄筋コンクリート製防護柵の長さ方向の両端部は幅方向に傾斜するテーパー状でなく直角の場合もある。
【図面の簡単な説明】
【００３６】
【図１】この考案を実施するための最良の形態を示す路肩据え付け時のプレキャスト鉄筋コンクリート製防護柵の断面図である。
【図２】（Ａ）はこの考案を実施するための最良の形態を示す壁面頭部中央部分が壁面頭部両側部分より低いプレキャスト鉄筋コンクリート製防護柵の側面図である。  （Ｂ）はこの考案を実施するための最良の形態を示す壁面頭部両側部分が壁面頭部中央部分より低いプレキャスト鉄筋コンクリート製防護柵の側面図である。
【図３】この考案を実施するための最良の形態を示すプレキャスト鉄筋コンクリート製防護柵の平面図である。
【図４】（Ａ）はこの考案を実施するための最良の形態を示す枠体の平面図である。  （Ｂ）は同図（Ａ）のＢ−Ｂ矢視図である。  （Ｃ）は同図（Ａ）のＣ−Ｃ矢視図である。
【図５】（Ａ）はこの考案を実施するための最良の形態を示す円筒鋼管の支柱の平面図及び中間省略の正面図である。  （Ｂ）はこの考案を実施するための最良の形態を示すＨ型鋼の支柱の平面図及び中間省略の正面図である。
【図６】この考案を実施するための最良の形態を示すプレキャスト鉄筋コンクリート製防護柵の端部図である。
【図７】（Ａ）はこの考案を実施するための最良の形態を示す壁面頭部中央部分が壁面頭部両側部分より低いプレキャスト鉄筋コンクリート製防護柵を複数連接時の側面図である。  （Ｂ）は同図（Ａ）の平面図である。
【図８】この考案を実施するための最良の形態を示す壁面頭部両側部分が壁面頭部中央部分より低いプレキャスト鉄筋コンクリート製防護柵を複数連接時の側面図である。
【図９】従来説明図である。
【符号の説明】
【００３７】
１    プレキャスト鉄筋コンクリート製防護柵
１１    連結部材
２    底面盤
２ａ  一端部
２ｂ  他端部
２１    連結孔
２１ａ  枠体
２１ｂ  係止受け片
２１ｃ  アンカー
３    壁面盤
３ａ  一端部
３ｂ  他端部
３ｃ  壁面頭部中央部分
３ｄ  壁面頭部両側部分
４    支柱
４１    係止片
ａ    地盤
【図１】
0003118003.tif 000003
【図２】
0003118003.tif 000004
【図３】
0003118003.tif 000005
【図４】
0003118003.tif 000006
【図５】
0003118003.tif 000007
【図６】
0003118003.tif 000008
【図７】
0003118003.tif 000009
【図８】
0003118003.tif 000010
【図９】
0003118003.tif 000011